(57)【特許請求の範囲】
【請求項１】
相対向する橋桁のフランジ上に両端をそれぞれ戴置することにより梁材を橋桁に取付け、桁裏面を覆うパネルを支持部材を介して前記梁材に取付けることを特徴とする高架構造物の桁裏面へのパネルの取付方法。
【請求項２】
パネル取付材にパネルを取付け、このパネル取付材を支持部材を介して梁材に取付けることを特徴とする請求項１に記載の高架構造物の桁裏面へのパネルの取付方法。
【請求項３】
相対向する橋桁のフランジ上に両端をそれぞれ戴置することにより梁材を橋桁に取付け、この梁材より吊り材を吊り下げると共に、この吊り材によりパネルを吊り下げ、吊り下げたパネルを支持部材を介して梁材に取付けることを特徴とする請求項１に記載の高架構造物の桁裏面へのパネルの取付方法。
【請求項４】
相対向する橋桁のフランジ上に両端をそれぞれ戴置することにより梁材を橋桁に取付け、この梁材より吊り材を吊り下げると共に、この吊り材によりパネル取付材を吊り下げ、吊り下げたパネル取付材にパネルを取付けると共にこのパネル取付材を支持部材を介して梁材に取付けることを特徴とする請求項２に記載の高架構造物の桁裏面へのパネルの取付方法。
【請求項５】
相対向する橋桁のフランジ上に両端をそれぞれ戴置することにより梁材を橋桁に取付け、且つパネル取付材にパネルを取付け、前記梁材より吊り材を吊り下げると共に、この吊り材により前記パネルを取付けたパネル取付材を吊り下げ、パネル取付材を支持部材を介して梁材に取付けることを特徴とする請求項２に記載の高架構造物の桁裏面へのパネルの取付方法。
【請求項６】
相対向する橋桁のフランジ上に両端をそれぞれ戴置することにより梁材が橋桁に取付けられ、桁裏面を覆うパネルが支持部材を介して前記梁材に取付けられたことを特徴とする高架構造物の桁裏面へのパネルの取付構造。
【請求項７】
パネルは、吸音性を有する吸音パネルであることを特徴とする請求項６に記載の高架構造物の桁裏面へのパネルの取付構造。
【請求項８】
パネルは、桁裏面を隠蔽する化粧パネルであることを特徴とする請求項６に記載の高架構造物の桁裏面へのパネルの取付構造。
【発明の詳細な説明】
【０００１】
【発明の属する技術分野】
本発明は、主として橋梁や高架道路等の高架構造物の桁裏面へのパネルの取付方法及びパネルの取付構造に関するものである。
【０００２】
【従来の技術】
例えば高架道路等の高架構造物の桁裏面には、その下を通行する車両の騒音が桁裏面で反射して周囲に騒音が漏れるのを防止するために吸音性を有する吸音パネルや、または桁裏面の美粧化を図るために化粧パネル等の各種パネルが取付けられている。従来、かかる桁裏面へのパネルの取付けは、例えばコンクリート製の橋脚にあっては、まず橋脚にアンカーボルトを打設し、次いでこのアンカーボルトに支持部材を螺着すると共に支持部材にパネルを取付けるようにしていた。又鋼材からなる橋脚にあっては、まず橋脚に支持部材を溶接やボルト止めにより取付け、次いでこの支持部材にパネルを取付けるようにしていた。
【０００３】
【発明が解決しようとする課題】
しかしながらかかるパネルの取付けには次のような問題があった。
すなわち、コンクリート製の橋脚の場合におけるアンカーボルトの打設作業は、重機による騒音が激しく、周辺住民に騒音公害を惹起させると共に、作業のスピードが遅いために作業効率が悪く、又橋脚自体にアンカーボルト挿入用の孔を開けるために、橋脚に強度的な悪影響を及ぼし、又支持部材に開けたアンカーボルト挿通用の孔とアンカーボルトの位置を正確に合致させる必要があることから、極めて熟練を要する作業であった。
【０００４】
又鋼材からなる橋脚の場合における支持部材の溶接やボルト止め作業についても、支持部材を精度良く橋脚に取付けないと、この支持部材にパネルを取付ける際に支障がでるために、これまた極めて熟練を要する作業であった。
【０００５】
さらにかような熟練を要する作業を高所で行う必要があるために、極めて危険な作業となっており、そのためにまず桁裏面に足場を組み立て、しかる後、その足場上に作業者が乗って前記作業を行うようにしているが、足場の組み立てに要する分だけ作業期間が長期化すると共にコストアップにもなっていた。
【０００６】
そこで本発明は、上記の如き問題を解決し、騒音公害や橋脚に強度的な悪影響を起こさず、且つ作業効率が良く、さらに作業に熟練を要することなく、しかも安全に作業を行うことができる高架構造物の桁裏面へのパネルの取付方法及びパネルの取付構造を提供せんとするものである。
【０００７】
【課題を解決するための手段】
上記目的を達成するために、本発明は次のような構成としている。
すなわちこの発明に係る高架構造物の桁裏面へのパネルの取付方法は、相対向する橋桁のフランジ上に両端をそれぞれ戴置することにより梁材を橋桁に取付け、桁裏面を覆うパネルを支持部材を介して前記梁材に取付けることを特徴とするものである。
【０００８】
本発明によれば、パネルを取付ける梁材を、相対向する橋桁のフランジ上に両端をそれぞれ戴置することにより橋桁に取付けており、梁材を橋桁に取付けるに際して、従来の如きアンカーボルトの打設、溶接やボルト止め等を橋桁に対して行う必要がなく、単に両端をフランジ上に戴置するだけでよいので、騒音公害や橋脚に強度的な悪影響を起こさず、且つ作業効率が良く、さらに作業に熟練を要することなく、しかも安全である。
【０００９】
尚、パネルは支持部材を介して梁材に直接取付けられていてもよいが、パネル取付材にパネルを取付け、このパネル取付材を梁材に取付けるようにしてもよい。かようにパネル取付材を使用することにより、複数のパネルをパネル取付材に連結固定することができるので、一個のパネルの大きさを小さくしても安定的且つ効率よく梁材に取付けることができる。
【００１０】
尚、パネルを梁材に取付けるに際し、パネルをクレーン車等で持ち上げ、この持ち上げたパネルを支持部材を介して梁材に取付けるようにしてもよいが、橋桁に取付けた梁材より吊り材を吊り下げると共に、吊り材によりパネルを吊り下げ、この吊り下げたパネルを支持部材を介して梁材に取付けるようにすれば、パネルを梁材に取付ける際に、吊り材によりパネルの微妙な位置調整が可能となるために、パネルと梁材との位置合わせ、支持部材がパネルや梁材と別体の場合は支持部材をも含めた位置合わせが容易となる。又一個のパネルを作業者が乗れる程度の広さと強度を有するものとすれば、吊り下げられたパネル上に作業者が乗って、すなわち取付けるべきパネル自体を足場として、パネルの取付作業が行えるので、別途に足場を設ける必要がなくなる。
【００１１】
又、パネル取付材を使用する場合は、橋桁に取付けた梁材より吊り下げた吊り材により、まずパネル取付材を吊り下げ、この吊り下げたパネル取付材にパネルを取付け、そしてこのパネル取付材を支持部材を介して梁材に取付けるようにしてもよいし、パネル取付材にパネルを予め取付け、橋桁に取付けた梁材より吊り下げた吊り材により、前記パネルを取付けたパネル取付材を吊り下げ、そしてパネル取付材を支持部材を介して梁材に取付けるようにしてもよい。
【００１２】
かかる吊り材に加えてパネル取付材を使用することにより、前記の如きパネルを梁材に取付ける際に、吊り材によりパネルの微妙な位置調整が可能となるために、梁材に対するパネルの取付けが容易になることに加えて、吊り下げられたパネル自体を足場として、梁材への取付作業を行うに際し、パネルの幅寸法より長いパネル取付材を使用し、複数のパネルをパネル取付材と交差する方向に配列して連結固定するようにすれば、一個のパネルに比べて、パネルのたて揺れ、よこ揺れを少なくすることができ、吊り下げられたパネルを足場としてより安全に作業することができる。
【００１３】
次に本発明に係る高架構造物の桁裏面へのパネルの取付構造は、相対向する橋桁のフランジ上に両端をそれぞれ戴置することにより梁材が橋桁に取付けられ、桁裏面を覆うパネルが支持部材を介して前記梁材に取付けられたことを特徴とするものである。
【００１４】
この発明においても、前記本発明に係るパネルの取付方法と同様に、梁材を橋桁に取付けるに際して、従来の如きアンカーボルトの打設、溶接やボルト止めを橋桁に対して行う必要がないので、騒音公害や橋脚に強度的な悪影響を起こさず、且つ作業効率が良く、さらに作業に熟練を要することなく、しかも安全である。
【００１５】
本発明において、パネルは、高架構造物の下を通行する車両の騒音が桁裏面で反射して周囲に騒音が漏れるのを防止するための吸音性を有する吸音パネルであってもよいし、桁裏面を隠蔽して美粧化を図るための化粧パネルであってもよく、特に取付けるべきパネルの目的等は限定されるものではない。
【００１６】
前記防音パネルとしては、例えば金属繊維等の集合体やセラミック等の粉末焼結体等の吸音材から形成されたものであってもよいし、又は多数の開孔を有する前面板と背面板とによって形成される中空パネル体内に吸音材が内装されたものであってもよいし、その前面板にルーバーが形成されたものであってもよく、又吸音性を有する筒体や半筒体が配列されたものであってもよく、特に限定されるものではない。なお背面側は人が乗れる強度を有しているのが好ましい。
【００１７】
また化粧パネルとしては、例えばアルミニウム合金板や亜鉛鋼板等の表面にポリエステル系粉体塗装やアクリル樹脂塗装、フッ素樹脂塗装、無機質系塗装等が施された塗装金属板が用いられるが、特に限定されるものではない。
【００１８】
【発明の実施の形態】
次に、本発明の実施の形態について図面を参照し、具体的に説明する。
【００１９】
まず、図１は、本発明に係る高架構造物の桁裏面へのパネルの取付構造の実施の一形態を示す断面図であり、図２はそのパネルの取付方法を示す断面図であり、図３は図２の詳細を示す拡大図である。
【００２０】
まず図１において、１は橋梁や高架道路等の高架構造物の桁裏面にその長手方向に沿って複数設けられた例えばコンクリート製の橋桁であり、２は例えばＨ型鋼よりなる梁材であり、前記複数の相対向する橋桁１のウエブ１１の間隔より僅か短い長さ寸法のものであって、この相対向する橋桁１のウエブ１１間に配置することにより、その両端が相対向する橋桁１のフランジ１２上にそれぞれ戴置されて、橋桁１に橋桁１と交差する向きに取付けられたものである。
【００２１】
３は、前記梁材２の下方に梁材２と平行に配置された例えばＨ型鋼よりなるパネル取付材であり、４は、梁材２とこのパネル取付材３との間に架設した支持部材４であり、パネル取付材３はこの支持部材４を介して梁材２に取付けられている。
【００２２】
５は、桁裏面を覆う複数の長方形状のパネルであり、その長手方向が前記パネル取付材３と交差する向きにそれぞれ配列されると共に、パネル取付材３に連結固定されて取付けられている。すなわち、複数のパネル５はパネル取付材３と交差する向きに配列されると共にパネル取付材３に連結固定されており、この複数のパネル５を連結固定したパネル取付材３が支持部材４を介して梁材２に取付けられている。
【００２３】
前記パネル５は、高架構造物の下を通行する車両の騒音が桁裏面で反射して周囲に騒音が漏れるのを防止するための吸音性を有する吸音パネルであってもよいし、桁裏面を隠蔽して美粧化を図るための化粧パネルであってもよく、特に取付けるべきパネル５の目的等は限定されるものではない。
【００２４】
次に、本発明に係る高架構造物の桁裏面へのパネルの取付方法の実施の一形態について、図１に図２及び図３を加えて説明する。
【００２５】
まず図２（イ）の如く、桁裏面に設けられた複数の橋桁１の相対向するウエブ１１間に、梁材２を橋桁１と交差する向きに配置すると共に、その両端を相対向する橋桁１のフランジ１２上にそれぞれ戴置して橋桁１に取付ける。かようにして、梁材２を、橋桁１と交差する向きで、橋桁１の方向に所定の間隔を開けて複数橋桁１に取付ける。尚、各梁材２は相互に連結しておくと、梁材２の遊動が防止されるので好ましい。
【００２６】
次に同図（ロ）の如く、梁材２より吊り材６を吊り下げる。吊り材６は、例えば、図３の如く、上端に梁材２に係止させるクランプ６１を設けると共に、下端にはパネル取付材３より突出させた吊り下げ部３１に係止させるリングキャッチの如き係止部６２を設け、且つ吊り下げの高さを調節できるように、中間部にターンバックルの如き長さ調節可能な調節部６３を設けたものを使用することができる。
【００２７】
そして同図（ハ）の如く、パネル取付材３を前記吊り材６により吊り下げ、梁材２の下方に梁材２と平行に配置する。
【００２８】
次に同図（ニ）及び（ホ）の如く、パネル５を持ち上げ、その長手方向を前記パネル取付材３と交差する向きに複数配列しつつ、これらを吊り下げたパネル取付材３に順次連結固定しつつ取付ける。
【００２９】
そして吊り下げたパネル５自体を足場にして、同図（ヘ）の如く、パネル取付材３を支持部材４を介して梁材２に取付ける。この場合、吊り下げられたパネル５自体を足場にしても、パネル５はパネル取付材３により複数連結固定されているので、パネル５のたて揺れ、よこ揺れが少なく、安全にパネル取付材３を梁材２に取付けることができる。
【００３０】
最後に吊り材６を撤去すれば取付作業は完了し、図１の如く、相対向する橋桁１のフランジ１２上に両端をそれぞれ戴置することにより橋桁１に取付けられた梁材２に、桁裏面を覆ってパネル５が支持部材４を介して取付けられる。
【００３１】
尚、吊り材６は通常は撤去するが、そのまま残しておいてもよい。そのまま残しておけば、万一橋桁１とパネル取付材３との取付けが支持部材４より離脱しても、吊り材６により吊り下げられるので、落下を防止することができる。
【００３２】
【発明の効果】
本発明による高架構造物の桁裏面へのパネルの取付方法及びパネルの取付構造によれば、パネルを取付ける梁材を、相対向する橋桁のフランジ上に両端をそれぞれ戴置することにより橋桁に取付けており、梁材を橋桁に取付けるに際して、従来の如きアンカーボルトの打設、溶接やボルト止め等を橋桁に対して行う必要がなく、単に両端をフランジ上に戴置するだけでよいので、騒音公害や橋脚に強度的な悪影響を起こさず、且つ作業効率が良く、さらに作業に熟練を要することなく、しかも安全である。
【図面の簡単な説明】
【図１】本発明に係る高架構造物の桁裏面へのパネルの取付構造の実施の一形態を示す断面図である。
【図２】本発明に係る高架構造物の桁裏面へのパネルの取付方法の実施の一形態を示す断面図である。
【図３】図２の詳細を示す拡大図である。
【符号の説明】
１    橋桁
１１  ウエブ
１２  フランジ
２    梁材
３    パネル取付材
４    支持部材
５    パネル
６    吊り材
６１  クランプ
６２  係止部
６３  調節部
【図１】
0003610268.tif 000002
【図２】
0003610268.tif 000003
【図３】
0003610268.tif 000004